(57)【要約】【課題】有機ＥＬディスプレイ等の自発光表示デバイスを用いた電子機器において、バッテリの端子電圧を高精度に監視する。【解決手段】デジタルカメラ１０において、電池１２で有機ＥＬディスプレイ２６を駆動する。電池１２の端子電圧を検出し、ＣＰＵ２０で検出端子電圧としきい電圧とを比較して放電終止状態か否かを判定する。ＶＲＡＭ２４に記憶されている次フレームの画像の輝度レベルを検出し、輝度レベルに応じてしきい値を動的に変化させる。【選択図】        図４
2004251808.tif 000002
【特許請求の範囲】
【請求項１】
画像を表示する表示手段に電力を供給するバッテリの端子電圧を監視する装置であって、
前記バッテリの端子電圧を検出する電圧検出手段と、
検出端子電圧としきい電圧とを比較する比較手段と、
前記表示手段に表示される前記画像の輝度レベルを検出する検出手段と、
前記輝度レベルに応じて前記しきい電圧あるいは前記検出端子電圧を調整する調整手段
を有し、前記比較手段で比較することにより前記バッテリの端子電圧を監視することを特徴とするバッテリ状態監視装置。
【請求項２】
請求項１記載の装置において、さらに、
前記輝度レベルと前記バッテリの放電電流との関係を予め記憶する記憶手段
を有し、前記調整手段は前記記憶手段に記憶された前記関係を用いて調整することを特徴とするバッテリ状態監視装置。
【請求項３】
請求項１記載の装置において、
前記調整手段は、前記表示手段に表示される前記画像の平均輝度レベルに応じて調整することを特徴とするバッテリ状態監視装置。
【請求項４】
請求項１記載の装置において、
前記調整手段は、前記表示手段に表示される前記画像が輝度データ及び色差データで構成される場合に前記輝度データに応じて調整することを特徴とするバッテリ状態監視装置。
【請求項５】
請求項１記載の装置において、
前記調整手段は、前記表示手段に表示される前記画像がＲ画素データ、Ｇ画素データ及びＢ画素データから構成される場合に前記Ｒ画素データ、Ｇ画素データ及びＢ画素データの全輝度データに応じて調整することを特徴とするバッテリ状態監視装置。
【請求項６】
請求項１記載の装置において、
前記調整手段は、前記表示手段に表示される前記画像を所定の画素数だけ間引いて得られる間引き画像の平均輝度レベルに応じて調整することを特徴とするバッテリ状態監視装置。
【請求項７】
請求項１記載の装置において、
前記表示手段は、前記バッテリからの電力により自発光するものであることを特徴とするバッテリ状態監視装置。
【請求項８】
請求項７記載の装置において、
前記表示手段は、有機ＥＬディスプレイであることを特徴とするバッテリ状態監視装置。
【請求項９】
画像を表示する自発光ディスプレイに電力を供給するバッテリの端子電圧を監視する装置であって、
前記バッテリの端子電圧を検出する電圧検出手段と、
前記バッテリにより駆動される装置内の各機能ブロックの動作あるいは非動作を検出することにより前記バッテリの各機能ブロックを駆動するときの第１消費電流を算出する第１演算手段と、
前記自発光ディスプレイに表示される画像の平均輝度レベルを検出することにより前記自発光ディスプレイを駆動するときの第２消費電流を算出する第２演算手段と、
前記第１消費電流及び前記第２消費電流に基づき前記バッテリの端子電圧を監視するためのしきい電圧を算出し、あるいは検出端子電圧を補正する第３演算手段と、
検出端子電圧と前記しきい電圧とを比較して出力する第４演算手段
を有することを特徴とするバッテリ状態監視装置。
【請求項１０】
請求項９記載の装置において、さらに、
前記自発光ディスプレイに表示される画像の画像データを記憶する画像データ記憶手段
を有し、前記第２演算手段は、前記画像データ記憶手段に記憶された前記画像データを用いて前記平均輝度レベルを検出することを特徴とするバッテリ状態監視装置。
【請求項１１】
請求項１〜１０のいずれかに記載のバッテリ状態監視装置を備え、さらに前記画像を取得する画像撮影手段を備えた電子機器。
【請求項１２】
請求項１１記載の機器において、
前記電子機器はデジタルカメラ、ＰＤＡあるいは携帯電話であることを特徴とする電子機器。
【発明の詳細な説明】
【０００１】
【発明の属する技術分野】
本発明はバッテリ状態監視装置及びこれを備えた電子機器に関し、特に自発光表示デバイスを駆動するバッテリの端子電圧を監視する装置に関する。
【０００２】
【従来の技術】
一般に、バッテリ（電池）で駆動される携帯機器では、バッテリの放電終止あるいは放電終止に至るまでのバッテリの状態を検出してインジケートすべく、バッテリの電圧を検出し、Ａ／Ｄコンバータ等でデジタル化して定期的にモニタしている。但し、単にバッテリの端子電圧を検出するだけでは、Ａ／Ｄコンバータで検出される値はバッテリの内部抵抗や接触切片抵抗、機器内の配線抵抗等による電圧降下、すなわち負荷消費電流分だけの電圧降下が生じるため見かけ上実際の端子電圧より低くなってしまう。したがって、検出端子電圧を所定のしきい電圧と比較してバッテリが終止状態に達したか否かを判定する場合、負荷電流が大きい場合には本来であれば未だバッテリの端子電圧は十分であってバッテリは終止状態にないと判定されるべきところ、見かけ上端子電圧が低くなっているためしきい電圧以下となり、終止状態にあると誤判定してしまう事態が生じ得る。
【０００３】
そこで、従来より以下のような方法によりしきい電圧を調整している。
【０００４】
（１）消費電流（消費電力）がほぼ一定の既知となる条件を作り出し、その負荷状態でバッテリの端子電圧を検出して判定を行う。この方法によれば、いつも同一負荷状態であるためしきい電圧を補正する必要がなくなる。
（２）電源ラインに小さな抵抗を挿入し、その両端の電位差（すなわち消費電流）を検出し、この消費電流に基づきしきい電圧を補正する。この方法によれば、バッテリの消費電流自体を検出するため高精度のしきい電圧補正が可能となる。（３）機器の負荷状況を把握するため、機器の各機能ブロックのＯＮ／ＯＦＦ状態を処理装置で管理し、予め測定してある各機能ブロックの動作時の消費電流（消費電力）をメモリにテーブルとして記憶させておき、バッテリ電圧を検出したときに動作中である機能ブロックの消費電流（消費電力）を合計し、その合計値を用いてしきい電圧を補正する。
【０００５】
なお、バッテリが放電終止状態か否かは、検出端子電圧としきい値との比較で判定されるから、しきい電圧を補正するのではなく、検出端子電圧を補正しても技術的には等価である。
【０００６】
【特許文献１】
特開平０９−２８１５４２号公報
【特許文献２】
特開２００１−０２１９４１号公報
【発明が解決しようとする課題】
しかしながら、上記（１）の方法では機器内の他の機能ブロック動作中に上記消費電流がほぼ一定となる条件を作り出せない場合が生じ得、この場合にはバッテリの監視を実行できない問題がある。
【０００７】
また、上記（２）の方法では電源ラインに小さな抵抗を入れて直接的に消費電流を検出するため、オペアンプなど新たに部品を付加する必要が生じ、また消費電流の大きな機器では電源ラインに入れる抵抗での損失が新たに生じてしまう問題がある。
【０００８】
一方、上記（３）の方法ではこのような問題は生じないが、機器の表示デバイスの種類によっては問題が生じる。すなわち、機器の表示デバイスとして液晶表示デバイスを用いた場合には液晶で透過／遮蔽を制御して画像の濃淡を表示しているためその消費電力はほぼ一定であるが、有機ＥＬディスプレイ等の自発光表示デバイスを用いた場合、表示画像の明るさによって消費電力が大きく変化してしまう。したがって、自発光表示デバイスを有する携帯機器において上記（３）の方法を用いてバッテリの状態を監視した場合、自発光表示デバイスに表示される表示画像によってバッテリ状態を正しく監視できない問題が生じる。具体的には、自発光表示デバイスでの消費電力をある固定値と想定して機能ブロックのＯＮ／ＯＦＦ毎にしきい電圧を設定した場合、自発光表示デバイスでの表示画像が明るい場合には見かけ上の端子電圧は低く検出されるため、しきい電圧は本来のしきい電圧より相対的に高くなり、逆に自発光表示デバイスの表示画像が暗い場合にはしきい電圧は本来のしきい電圧よりも小さくなってしまい、いずれの場合も誤判定を招く。
【０００９】
本発明の目的は、画像を表示する表示手段に電力を供給するバッテリの端子電圧を高精度に監視できる装置を提供することにある。
【００１０】
【課題を解決するための手段】
本発明は、画像を表示する表示手段に電力を供給するバッテリの端子電圧を監視する装置であって、前記バッテリの端子電圧を検出する電圧検出手段と、検出端子電圧としきい電圧とを比較する比較手段と、前記表示手段に表示される前記画像の輝度レベルを検出する検出手段と、前記輝度レベルに応じて前記しきい電圧あるいは前記検出端子電圧を調整する調整手段を有し、前記比較手段で比較することにより前記バッテリの端子電圧を監視することを特徴とする。表示手段での輝度レベルに応じてバッテリの見かけ上の端子電圧が変動するから、輝度レベルに応じてしきい電圧あるいは検出端子電圧を調整することで、輝度レベルによらずバッテリの状態を高精度に監視できる。輝度レベルに応じて表示手段での消費電流（消費電力）が増大する場合、輝度レベルが大なるほどしきい値は低く、あるいは検出端子電圧は大きく調整され、これにより見かけ上の端子電圧低下分が校正される。
【００１１】
本発明において、さらに、前記輝度レベルと前記バッテリの放電電流との関係を予め記憶する記憶手段を有し、前記調整手段は前記記憶手段に記憶された前記関係を用いて調整することが好適である。
【００１２】
また、本発明は、画像を表示する自発光ディスプレイに電力を供給するバッテリの端子電圧を監視する装置であって、前記バッテリの端子電圧を検出する電圧検出手段と、前記バッテリにより駆動される装置内の各機能ブロックの動作あるいは非動作を検出することにより前記バッテリの各機能ブロックを駆動するときの第１消費電流を算出する第１演算手段と、前記自発光ディスプレイに表示される画像の平均輝度レベルを検出することにより前記自発光ディスプレイを駆動するときの第２消費電流を算出する第２演算手段と、前記第１消費電流及び前記第２消費電流に基づき前記バッテリの端子電圧を監視するためのしきい電圧を算出し、あるいは検出端子電圧を補正する第３演算手段と、検出端子電圧と前記しきい電圧とを比較して出力する第４演算手段を有することを特徴とする。
【００１３】
本発明のバッテリ状態監視装置は、自発光表示手段を備えた電子機器に広く適用できる。このような電子機器は、例えばデジタルカメラやＰＤＡ、あるいは携帯電話である。
【００１４】
【発明の実施の形態】
以下、図面に基づき本発明の実施形態について説明する。
【００１５】
図１には、本実施形態の概念構成図が示されている。本実施形態の電子機器は、電池１、電池監視部２、比較部３、しきい値設定部４及び表示部５を有して構成される。表示部５は、印加された電気エネルギを光のエネルギに変換して発光する自発光表示デバイスである。
【００１６】
電池１は機器各部に電力を供給するもので、表示部５にも電力を供給する。
【００１７】
電池監視部２は、電池１の端子電圧を検出し、検出端子電圧を比較部３に供給する。
【００１８】
比較部３は、電池監視部２からの検出端子電圧と、しきい値設定部４からのしきい値とを比較し、その比較結果を電池１の状態として出力する。すなわち、検出端子電圧がしきい電圧を越えていれば未だ残容量はあると判定し、しきい値以下となった場合には放電終止状態にあると判定して出力する。
【００１９】
しきい値設定部４は、機器内の機能ブロックの動作状態及び表示部５に表示される画像の輝度レベルに応じてしきい値を設定し、設定したしきい値を比較部３に供給する。しきい値としては、上述した放電終止状態を判定するためのしきい値の他、電池１の残容量が少ないことを示すしきい値等を設定することができる。
【００２０】
なお、電池監視部２で電池１の端子電圧を検出し、しきい値設定部４で設定されたしきい値を入力して電池監視部２において検出端子電圧としきい値とを比較してもよい。すなわち、電池監視部２と比較部３とは分離独立している必要はない。
【００２１】
また、比較部３は、電池監視部２で検出された電池１の検出電圧としきい値とを比較しているが、しきい値設定部４は輝度レベルと無関係に機器各部の機能ブロックのＯＮ／ＯＦＦに応じたしきい値を設定して比較部３に供給し、比較部３は電池監視部２からの検出電圧を表示部５の輝度レベルに応じて補正し、補正した検出電圧をしきい値と比較してその比較結果を出力することもできる。要は、輝度レベルに応じて検出端子電圧あるいはしきい値のいずれかを調整して両者を比較すればよい。
【００２２】
図２には、表示部５に表示される画像の輝度レベルと電池１の消費電流との関係が示されている。輝度レベルが増大するほど消費電流は輝度レベルにほぼ比例して増大する。例えば、表示部５が有機ＥＬディスプレイの場合、有機ＥＬディスプレイ素子の発光強度は注入するキャリア密度、すなわち注入電流に比例し、素子の発光強度をＰ（ｉ，ｊ）とすると複数の素子のアレイで構成される表示部５の全体の輝度レベルはΣＰ（ｉ，ｊ）となるから、輝度レベルと消費電流とはほぼ比例関係となる。したがって、しきい値設定部４は、輝度レベルが増大するほどしきい値を下方に（つまり小さくなるように）設定し、あるいは輝度レベルが増大するほど検出電圧値を上方に（つまり大きくなるように）調整して両者を比較する。表示部５に表示される画像が時系列で変化する場合、しきい電圧あるいは検出端子電圧の補正量も画像の変化と共に動的に変化する。このように、輝度レベルに応じてしきい値あるいは検出電圧のいずれかを調整することで、表示部５に表示された画像の輝度レベルを考慮して電池１の状態を高精度に監視することができる。
【００２３】
図３には、しきい値設定部４における、機器内の各機能ブロックの動作状態及び表示部５における輝度レベルに応じた消費電流を考慮したしきい値設定方法が示されている。図において、機器内には機能ブロックとしてブロックＡ、ブロックＢ及びブロックＣが存在するものとする。各機能ブロックの動作中における消費電流は予め測定されしきい値設定部４の内部あるいは外部の記憶部にテーブルとして記憶される。さらに、図２に示されるように、表示部５における輝度レベルと消費電流との関係は一対一で決定されるから、表示部５における消費電流も一義的に決定される。したがって、電池１のトータルの消費電流はこれらの合計として与えられ、合計消費電流に基づきしきい値が設定される。例えば、ブロックＡ、ブロックＢ、ブロックＣがいずれも動作中であり、表示部５における輝度レベルがＬ１である場合、トータルの消費電流はｉａとなり、これによりしきい値はＶｔｈａと設定される。また、ブロックＡ、ブロックＢがともに動作中でブロックＣは非動作中であり、表示部５の輝度レベルがＬ２である場合、トータルの消費電流はｉｂとなり、これによりしきい値はＶｔｈｂと設定される。さらに、ブロックＡが動作中であり、ブロックＢ及びブロックＣが共に非動作であり、表示部５の輝度レベルがＬ３である場合、トータルの消費電流はｉｃとなり、しきい値はＶｔｈｃと設定される。
【００２４】
テーブルは、機能ブロックの動作／非動作に応じた消費電流を規定する第１テーブルと、輝度レベルに応じた消費電流を規定する第２テーブルと、全消費電流に応じたしきい電圧を規定する第３テーブルに分かれていてもよい。すなわち、第１テーブルで機能ブロックの動作／非動作に応じた消費電流を読み出し、さらに第２テーブルで輝度レベルに応じた消費電流を読み出し、両者の和を算出する。そして、両者の和の消費電流から第３テーブルを用いてしきい電圧を読み出す。
【００２５】
以下、本実施形態に係るバッテリ状態監視装置を具体的に説明する。
【００２６】
図４には、本実施形態におけるバッテリ状態監視装置を組み込んだ電子機器としてデジタルカメラ１０の構成が示されている。デジタルカメラ１０は、電池１２、電池１２の内部抵抗１４、電源ライン抵抗１６、Ａ／Ｄコンバータ１８、ＣＰＵ２０、ＣＣＤカメラ２２、ビデオＲＡＭ（ＶＲＡＭ）２４及び有機ＥＬディスプレイ２６を備える。
【００２７】
電池１２はデジタルカメラ１０の各部に必要な電力を供給する。電池１２は有機ＥＬディスプレイ２６にも電力を供給する。
【００２８】
Ａ／Ｄコンバータ１８は、電池１２の端子電圧を検出し、検出値をデジタル値に変換してＣＰＵ２０に供給する。
【００２９】
ＣＰＵ２０は、ＣＣＤカメラ２２で得られた画像を所定のフォーマット、例えばＪＰＥＧフォーマットに変換してＶＲＡＭ２４に格納する。ＪＰＥＧフォーマットの場合、ＣＰＵ２０はＣＣＤカメラ２２で得られた画像信号を構成する輝度信号Ｙ及び色差信号Ｃｒ、ＣｂをそれぞれＤＣＴ、量子化及びエントロピー符号化の各処理を行って圧縮しＶＲＡＭ２４に格納する。そして、ＣＰＵ２０は、ＶＲＡＭ２４に格納された画像データを読み出して有機ＥＬディスプレイ２６に表示する。
【００３０】
このような構成において、ＣＰＵ２０はＡ／Ｄ１８から入力した検出端子電圧を終止状態判定用しきい電圧Ｖｔｈと比較し、検出端子電圧＞しきい電圧Ｖｔｈであれば放電終止状態にないと判定し、検出端子電圧≦しきい電圧Ｖｔｈであれば放電終止状態と判定して有機ＥＬディスプレイ２６に表示する。なお、ＣＰＵ２０は終止状態判定用しきい電圧Ｖｔｈの他、残容量が少ない状態を判定するためのしきい値（ＷＥＡＫ用しきい電圧）を設定し、このしきい電圧と検出端子電圧とを比較してその結果を有機ＥＬディスプレイ２６に表示してもよい。判定結果の表示対応は任意であり、例えばインジケータ方式で表示してもよく、あるいはアラームメッセージを表示してもよい。ＣＰＵ２０はＶＲＡＭ２４に格納された画像データから有機ＥＬディスプレイ２６に表示される画像の輝度レベルを検出し、この輝度レベルに基づきしきい電圧Ｖｔｈを設定する。すなわち、ＣＰＵ２０のメモリには、予めデジタルカメラ１０の各機能ブロックのＯＮ／ＯＦＦ及び輝度レベルに応じた全消費電流としきい電圧Ｖｔｈとの関係を規定するテーブルが記憶されており、デジタルカメラ１０の各機能ブロックにおけるＯＮ／ＯＦＦ及びＶＲＡＭ２４に記憶された画像データから検出した輝度レベルに基づき、対応するしきい電圧Ｖｔｈを読み出して検出端子電圧と比較する。テーブルは、機能ブロックのＯＮ／ＯＦＦと消費電流との関係を規定するテーブルと、輝度レベルと消費電流との関係を規定するテーブルと、全消費電流としきい電圧Ｖｔｈとの関係を規定するテーブルに分かれていてもよい。あるいは、機能ブロックのＯＮ／ＯＦＦと基本しきい電圧との関係を規定するテーブルと、輝度レベルと基本しきい電圧の調整量との関係を規定するテーブルに分かれていてもよい。後者の場合、ＣＰＵ２０はまず機能ブロックの動作状態から基本しきい電圧を読み出し、次に検出した輝度レベルに応じて基本しきい電圧を調整することで最終的なしきい電圧Ｖｔｈを設定する。
【００３１】
図５には、ＣＰＵ２０のメモリに記憶される輝度レベルと消費電流との関係が示されている。輝度レベル０〜最大値ＭＡＸを０〜Ｌ１、Ｌ１〜Ｌ２、Ｌ２〜Ｌ３、Ｌ３〜Ｌ４、Ｌ４〜ＭＡＸの５段階に分け、各段階に消費電流値を割り当てて輝度レベルと消費電流との関係を規定する。すなわち、
輝度レベル０〜Ｌ１：消費電流＝０
輝度レベルＬ１〜Ｌ２：消費電流＝ｉ１
輝度レベルＬ２〜Ｌ３：消費電流＝ｉ２
輝度レベルＬ３〜Ｌ４：消費電流＝ｉ３
輝度レベルＬ４〜ＭＡＸ：消費電流＝ｉ４
もちろん、輝度レベルと消費電流との関係をより細かく規定することも可能である。輝度レベルは、ＶＲＡＭ２４に記憶された画像データから検出されるが、具体的には、ＶＲＡＭ２４に記憶された輝度信号Ｙのレベルに応じて有機ＥＬディスプレイ２６の輝度レベルを検出する。すなわち、画素の輝度信号ＹのレベルＰ（ｉ，ｊ）を全ての画素について加算して画像全体の輝度レベルを検出する。もちろん、輝度信号Ｙだけでなく、Ｃｒ及びＣｒのレベルも検出し、Ｒ画素、Ｇ画素、Ｂ画素全てのレベルの和として輝度レベルを算出してもよい。また、輝度レベルを検出する際に、有機ＥＬディスプレイの全ての画素の輝度レベルの平均を算出し、平均輝度レベルに応じて消費電流を決定してもよい。さらに、全ての画素ではなく、所定数、例えば１／４程度に間引いた後の画素の全体の輝度レベルあるいは平均輝度レベルを用いてもよい。
【００３２】
図６には、ＣＰＵ２０におけるしきい電圧Ｖｔｈの調整タイミングが示されている。図６（ａ）はＶＲＡＭ２４に画像データが格納されるタイミングであり、図６（ｂ）は有機ＥＬディスプレイ２６に表示されるタイミング、図６（ｃ）はＣＰＵ２０でのしきい電圧Ｖｔｈ算出タイミング、図６（ｄ）はＣＰＵ２０での電池１２の監視タイミングである。
【００３３】
図６（ａ）に示されるように、ＶＲＡＭ２４に順次画像データＰ１、Ｐ２、Ｐ３が格納されるとする。有機ＥＬディスプレイ２６には、ＶＲＡＭ２４に格納された画像データを読み出して表示するため、ＶＲＡＭ２４に新たにＰ１が格納されるときにはそれ以前に格納された画像データＰ０がＶＲＡＭ２４から読み出されて表示される。ＶＲＡＭ２４に画像データＰ１が格納された後、次の切替タイミングでこの画像データが読み出されて有機ＥＬディスプレイ２６に表示され、このときＣＰＵ２０は画像データＰ２をＶＲＡＭに書き込む。画像データＰ１をＶＲＡＭ２４に書き込んだ後、ＣＰＵ２０はこの画像データＰ１を用いて輝度レベルを算出し、画像データＰ１用のしきい電圧Ｖｔｈ１を設定する。設定されたしきい電圧Ｖｔｈ１は現在有機ＥＬディスプレイ２６に表示されている画像Ｐ０において用いられるのではなく、次の切替タイミング、すなわち画像データＰ１が有機ＥＬディスプレイ２６に表示されるタイミングで用いられ、電池１２の端子電圧が監視される。
【００３４】
同様にして、画像Ｐ１が有機ＥＬディスプレイ２６上に表示されている間に次の画像データＰ２がＶＲＡＭ２４に格納され、ＣＰＵ２０は画像データＰ２を用いて輝度レベルを算出し画像データＰ２用のしきい電圧Ｖｔｈ２を設定する。有機ＥＬディスプレイ２６の画像がＰ１からＰ２に切り替わるタイミングでしきい電圧をＶｔｈ１からＶｔｈ２に切替え、Ｐ２が表示されている間に検出端子電圧としきい値Ｖｔｈ２とを大小比較する。このように、本実施形態では、有機ＥＬディスプレイに画像が表示される毎にしきい電圧が新たに設定されることになる。
【００３５】
本実施形態によれば、有機ＥＬディスプレイ２６にどのような画像が表示されても適応的にしきい電圧が調整され、電池１２の端子電圧が監視される。したがって、電池１２が放電終止状態にあるか否かを正確に判定でき、したがって明るい画像が表示されたときにＣＰＵ２０が電池１２の端子電圧不足のため不意に動作不能となる事態も未然に防止することができる。
【００３６】
なお、表示画像毎（フレーム毎）にしきい電圧を切り替えるのではなく、前後の画像のしきい電圧を線形補間することにより中間のしきい電圧を設定することもできる。
【００３７】
また、上述した例では、有機ＥＬディスプレイ２６の全体の輝度レベルあるいは平均輝度レベルに応じてしきい電圧Ｖｔｈを表示画像毎に調整しているが、検出端子電圧を表示画像毎に調整することもできる。すなわち、ＶＲＡＭ２４に格納された画像データの輝度レベルを検出して検出端子電圧の補正値を決定し、表示画像毎に検出端子電圧を補正する。テーブルとしては、機能ブロックのＯＮ／ＯＦＦ毎の消費電流テーブルと輝度レベル毎の消費電流テーブル、並びに全消費電流毎の検出端子電圧補正値を規定するテーブルがあればよい。図３において、しきい電圧の代わりに検出端子電圧補正値としたテーブルを用いることもできる。
【００３８】
検出端子電圧がＶｄｅｔである場合、画像Ｐ１が表示される場合にはＶｄｅｔ＋ΔＶ１に補正され、画像Ｐ２が表示される場合にはＶｄｅｔ＋ΔＶ２に補正されてしきい電圧と比較される。ここで、ΔＶ１及びΔＶ２は輝度レベルに応じた補正値である。
【００３９】
以上、本発明の実施形態について説明したが、本発明はこれに限定されるものではなく種々の変更が可能である。
【００４０】
例えば、本実施形態においてはデジタルカメラを例にとり説明したが、自発光表示デバイスを備える携帯機器であれば任意の電子機器に適用することが可能であり、このような電子機器としてはデジタルカメラの他にＰＤＡ（パーソナルデジタルアシスタント）や携帯電話がある。
【００４１】
また、自発光表示デバイスとしては、有機ＥＬディスプレイの他、ＬＥＤディスプレイやプラズマディスプレイでもよい。
【００４２】
【発明の効果】
以上説明したように、本発明によれば、バッテリの端子電圧を高精度に監視することができる。
【図面の簡単な説明】
【図１】実施形態の概念構成図である。
【図２】輝度レベルと消費電流との関係を示すグラフ図である。
【図３】機能ブロックの動作／非動作と輝度レベル及びしきい値との関係を示す説明図である。
【図４】実施形態におけるデジタルカメラの構成図である。
【図５】輝度レベルと消費電流との関係を示すグラフ図である。
【図６】実施形態のタイミングチャートである。
【符号の説明】
１２  電池、１８  Ａ／Ｄ、２０  ＣＰＵ、２２  ＣＣＤカメラ、２４  ＶＲＡＭ、２６  有機ＥＬディスプレイ。
【図１】
2004251808.tif 000003
【図２】
2004251808.tif 000004
【図３】
2004251808.tif 000005
【図４】
2004251808.tif 000006
【図５】
2004251808.tif 000007
【図６】
2004251808.tif 000008